(57)【要約】【課題】保護継電器を複数台使用し、各保護継電器のＡＮＤ条件により遮断器をトリップさせるシステム構成とした場合でも、電磁式ターゲット表示器を使用せず遮断器トリップにより動作表示器をＯＮ状態とすることを可能とし、複数の要素を収納した場合でもスペースファクタを向上させるものである。【解決手段】保護継電器で、入力変成器と、入力アナログ回路と、Ａ／Ｄ変換回路と、演算処理回路と、電源回路と、リレー回路と、動作表示器と、レベル検出回路より構成され、演算処理回路が動作判定して、リレー回路をメークし、この接点回路にて外部の遮断器に電流が流れ、センサにてトリップ電流を検出し、これが所定レベル以上の電流が流れたと判定し、結果を演算処理回路に入力し、演算回路は、リレー回路の接点回路のメークと、レベル検出回路よりリレー回路の接点回路に遮断器電流が流れたことの判定結果とのＡＮＤ条件で、表示器を動作状態に制御する。【選択図】図７
2006081400.tif 000002
【特許請求の範囲】
【請求項１】
入力電流・電圧の大きさ，位相条件により系統事故を検出する保護継電器において、入力電流・電圧を絶縁する入力変成器と、変成器二次側の信号を所定のレベルに変換する入力アナログ回路と、このアナログ信号を所定のディジタル信号に変換するＡ／Ｄ変換回路と、このディジタル信号を入力とし所定の演算処理を行なう演算処理回路と、各回路に電源電圧を供給する電源回路と、演算処理回路の判定結果を受けて外部に接点出力を出すリレー回路と、動作状態を表す動作表示器と、出力接点回路に流れる電流を検出するカレントセンサと、このカレントセンサから出力される電流レベルが、所定レベル以上か否かを検出するレベル検出回路より構成され、演算処理回路が動作判定して出力接点回路をメーク状態とし、この出力接点回路に所定の遮断器トリップ電流が流れた場合に、動作表示器をＯＮ状態とすることを特徴とした保護継電器。
【請求項２】
請求項１記載の保護継電器において、入力変成器，入力アナログ回路，リレー回路及び動作表示器を複数有する多要素タイプとし、各リレー回路の出力接点回路に流れる電流を１つのカレントセンサにより検出するように構成し、演算処理回路がいずれかの要素で動作判定して、いずれかの出力接点回路をメーク状態とし、この出力接点回路に所定の遮断器トリップ電流が流れた場合に、演算処理回路が動作判定した要素の動作表示器をＯＮ状態とすることを特徴とした保護継電器。
【発明の詳細な説明】
【技術分野】
【０００１】
本発明は、電力系統の電圧・電流の大きさ，位相条件により電力系統の事故を検出する保護継電器に係り、特に入力電圧・電流を所定の入力アナログ回路を介した後にＡ／Ｄ変換し、ロジック信号として演算処理回路に取り込み、所定の演算処理を行なうことで動作判定する演算処理回路を有する保護継電器に関する。
【背景技術】
【０００２】
従来の演算処理回路を有する保護継電器は、動作レベル等の設定を設定スイッチのみで実施するか、設定スイッチと設定完了スイッチのＡＮＤ条件で実施していた。又、設定状態表示は演算処理回路が認識している設定状態を７セグメント表示回路（以下、ＬＥＤとして示す）等に表示していた。
【０００３】
又、システム試験を考慮し強制動作を行なわせる場合、テストスイッチがＯＮ状態となった場合に強制動作させるか、テストスイッチとテストスイッチを有効とさせるための第２のスイッチが、共にＯＮ状態となった場合に強制動作させていた。
【０００４】
更に動作表示を行なう場合、演算処理回路が動作判定したことにより動作表示器をＯＮ状態とするか、出力接点回路に直列に電磁式のターゲット表示器を付加することで、出力接点回路に流れる遮断器トリップ電流により動作表示をしていた。
【発明の開示】
【発明が解決しようとする課題】
【０００５】
上記従来技術によれば、動作レベル等の設定を設定スイッチのみで実施すると、設定スイッチの不良により誤動作，誤不動作に至る問題があり、設定スイッチと設定完了スイッチとのＡＮＤ条件で設定を有効とした場合であっても、誤動作，誤不動作に至る問題はないが、演算処理回路が認識している設定状態のみを表示することとなるため設定変更を行なう場合、設定完了前に演算処理回路が読込んでいる設定スイッチ状態が不明であるため、誤った設定変更を行なう可能性がある。
【０００６】
本発明は上記課題を解決するためになされたものであり、設定スイッチの不良等により誤動作，誤不動作を発生させず、不良を認識可能とすると共に、設定変更を行なう際に、誤設定を防止可能とする保護継電器を提供することを目的としている。
【課題を解決するための手段】
【０００７】
本発明の［請求項１］に係る保護継電器は、入力電流・電圧の大きさ，位相条件により系統事故を検出する保護継電器において、入力電流・電圧を絶縁する入力変成器と、変成器二次側の信号を所定のレベルに変換する入力アナログ回路と、このアナログ信号を所定のディジタル信号に変換するＡ／Ｄ変換回路と、このディジタル信号を入力とし所定の演算処理を行なう演算処理回路と、各回路に電源電圧を供給する電源回路と、演算処理回路の判定結果を受けて外部に接点出力を出すリレー回路と、動作状態を表す動作表示器と、出力接点回路に流れる電流を検出するカレントセンサと、このカレントセンサから出力される電流レベルが、所定レベル以上か否かを検出するレベル検出回路より構成され、演算処理回路が動作判定して出力接点回路をメーク状態とし、この出力接点回路に所定の遮断器トリップ電流が流れた場合に、動作表示器をＯＮ状態とするよう構成した。
【０００８】
本発明の［請求項２］に係る保護継電器は、［請求項１］において、入力変成器，入力アナログ回路，リレー回路及び動作表示器を複数有する多要素タイプとし、各リレー回路の出力接点回路に流れる電流を１つのカレントセンサにより検出するように構成し、演算処理回路がいずれかの要素で動作判定して、いずれかの出力接点回路をメーク状態とし、この出力接点回路に所定の遮断器トリップ電流が流れた場合に、演算処理回路が動作判定した要素の動作表示器をＯＮ状態とするよう構成した。
【発明の効果】
【０００９】
以上説明したように、本発明によれば動作レベル等の設定スイッチの不良等により誤動作，誤不動作を発生させず、不良を認識可能とし、更に設定変更を行なう際に、誤設定を防止可能とする保護継電器を得ることができる。
【００１０】
又、システム試験を考慮し、テストスイッチによる強制動作を行なわせる場合、テストスイッチの不良等により誤動作を発生させず、不良を認識可能とする低コストの保護継電器を得ることができる。
【００１１】
更に、保護継電器を複数台使用し、各保護継電器のＡＮＤ条件により遮断器をトリップさせるシステム構成とした場合でも、電磁式ターゲット表示器を使用せず遮断器トリップにより動作表示器をＯＮ状態とすることを可能とし、複数の要素を収納した場合でもスペースファクタを向上させ、低コストの保護継電器を得ることができる。
【発明を実施するための最良の形態】
【００１２】
図１は本発明による保護継電器の実施の形態を示すブロック構成図である。入力電流・電圧を入力変成器１により絶縁し、入力変成器１の二次側の信号を入力アナログ回路２に入力し、所定のアナログ信号に変換する。
【００１３】
入力アナログ回路２より出力されるアナログ信号は、Ａ／Ｄ変換回路３に入力して所定のディジタル信号に変換し、このディジタル信号は演算処理回路４に取り込まれて、所定の演算処理を実施する。
【００１４】
電源回路５は、電源入力より保護継電器内部の電源電圧として、安定化された電圧を各回路に供給する。リレー回路６は、演算処理回路４の演算処理結果を受けて外部に接点出力を出す。設定スイッチ７は、動作レベル等を外部より設定可能とするスイッチであり、スイッチ状態は演算処理回路４に入力される。
【００１５】
設定完了スイッチ８は、設定スイッチ７を有効とさせるための二重化のためのＯＮ／ＯＦＦスイッチであり、スイッチ状態は演算処理回路四に入力される。ＬＥＤ９は、演算処理回路４より制御されて所定の数値表示を行なう。
【００１６】
演算処理回路４が認識している設定スイッチ７の設定ポジション状態を、各スイッチポジション状態に応じた数値としてＬＥＤ９に常時表示し、演算処理回路４が認識しているスイッチ状態を外部より確認可能とする。
【００１７】
設定スイッチ７の設定ポジション状態に変化があった場合、変化後のスイッチポジション状態に応じた数値をＬＥＤ９にフリッカ表示することで、設定スイッチ７が変更されたことと、変更後の設定スイッチ７のポジションを外部より確認可能とする。
【００１８】
この状態より、設定完了スイッチ８がＯＮ状態となった時点で、演算処理回路４が認識していた設定スイッチ７の設定ポジション状態より、変化後の設定スイッチ７の設定ポジション状態に更新すると共に、７セグメントＬＥＤ９にフリッカ表示させていた設定スイッチ７の変化後のスイッチポジション状態に応じた数値を、連続表示する。
【００１９】
本実施の形態によれば、常時は演算処理回路４が認識している設定スイッチ７の状態を外部より確認でき、設定スイッチ７が変更されれば、変更されたスイッチポジション状態も含め外部より変更されたことが確認でき、設定完了スイッチ８により設定更新を行なうため、誤った設定変更を防ぐことができ、設定スイッチ７の不良により誤設定されることがなく、設定スイッチ７の不良等による誤動作，誤不動作を防止可能となる。
【００２０】
本発明は上記内容以外に、下記変形も可能となる。本変形例では演算処理回路４が認識している設定スイッチ７の設定ポジション状態を常時は表示せず、設定スイッチ７の設定ポジション状態に変化があった場合、変化後のスイッチポジション状態に応じた数値をＬＥＤ９にフリッカ表示することで、設定スイッチ７が変更されたことと、変更後の設定スイッチ７のポジションを外部より確認可能とする。
【００２１】
この状態より、設定完了スイッチ８がＯＮ状態となった時点で、演算処理回路４が認識していた設定スイッチ７の設定ポジション状態より、変化後の設定スイッチ７の設定ポジション状態に更新すると共に、ＬＥＤ９にフリッカ表示させていた設定スイッチ７の変化後のスイッチポジション状態に応じた数値を、一定時間のみ連続表示する。
【００２２】
本実施の形態によれば、設定スイッチ７が変更されれば、変更されたスイッチポジション状態も含め外部より変更されたことが確認でき、設定完了スイッチ８により設定更新を行なうため、誤った設定変更を防ぐことができ、設定スイッチ７の不良により誤設定されることがなく、設定スイッチ７の不良等による誤動作，誤不動作を防止可能となる。
【００２３】
図２は他の実施の形態を示すブロック構成図である。図２において、図１と同一及び相当部分については、同一符号を付して説明を省略する。本実施の形態において、新たに付加されたものは異常ＬＥＤ10である。
【００２４】
そして異常ＬＥＤ10は、演算処理回路４より制御され異常状態を表示するよう構成されている。ここで、ＬＥＤ９のフリッカ表示状態が、所定時間を越えた場合に設定スイッチ７の表示と判断し、異常ＬＥＤ10を点灯制御する。
【００２５】
本実施の形態によれば、常時は演算処理回路４が認識している設定スイッチ７の状態を外部より確認でき、設定スイッチ７が変更されれば、変更されたスイッチポジション状態も含め外部より変更されたことが確認でき、設定完了スイッチ８により設定更新を行なうため、誤った設定変更を防ぐことができ、設定スイッチ７の不良により誤設定されることがなく、設定スイッチ７の不良等による誤動作，誤不動作を防止可能となる。又、設定スイッチ７に不良等が発生した場合には、異常ＬＥＤ10を点灯させることで外部に異常を知らせることが可能となる。
【００２６】
本発明は上記以外に、下記変形も可能となる。ＬＥＤ９のフリッカ表示状態が、所定時間を越えた場合に設定スイッチ７の異常と判断し、異常ＬＥＤ10を点灯制御すると共に演算処理回路４の所定の演算処理を停止させることで、同様の効果を得ることもできる。
【００２７】
更に下記変形も可能となる。本実施の形態において、設定完了スイッチ８がＯＮ状態となった時点で、演算処理回路４が認識していた設定スイッチ７の設定ポジション状態より、変化後の設定スイッチ７の設定ポジション状態に更新すると共に、ＬＥＤ９にフリッカ表示させていた設定スイッチ７の変化後のスイッチポジション状態に応じた数値を、連続表示することは前記した通りである。
【００２８】
ここで、設定完了スイッチ８のＯＮ状態が、所定時間を越えてもＯＦＦ状態に復帰しない場合に設定完了スイッチ８の異常と判断し、異常ＬＥＤ10を点灯制御する。
【００２９】
本実施の形態によれば、常時は演算処理回路４が認識している設定スイッチ７の状態を外部より確認でき、設定スイッチ７が変更されれば、変更されたスイッチポジション状態も含め外部より変更されたことが確認でき、設定完了スイッチ８により設定更新を行なうため、誤った設定変更を防ぐことができ、設定スイッチ７の不良により誤設定されることがなく、設定スイッチ７及び設定完了スイッチ８の不良等による誤動作，誤不動作を防止可能となる。又、設定完了スイッチ８に不良等が発生した場合には、異常ＬＥＤ10を点灯させることで外部に異常を知らせることが可能となる。
【００３０】
更に下記変形も可能となる。設定完了スイッチ８のＯＮ状態が所定時間を越えてもＯＦＦ状態に復帰しない場合に、設定完了スイッチ８の異常と判断して異常ＬＥＤ10を点灯制御すると共に、演算処理回路４の所定の演算処理を停止させることで、同様の効果を得ることもできる。
【００３１】
図３は更に他の実施の形態を示すブロック構成図である。図３において、符号１〜６は図２と同様であり、本実施の形態において、新たに付加されたものはテストスイッチ11である。
【００３２】
このテストスイッチ11は、演算処理回路４に強制動作を認識させるスイッチであり、テストスイッチ11がＯＮ状態となった後、所定時間以内にテストスイッチ11がＯＮ／ＯＦＦ状態を所定回数繰り返した場合、有効とさせる。例えば、テストスイッチ11がＯＮ状態となってから、５秒以内にＯＦＦ／ＯＮ／ＯＦＦ／ＯＮ／ＯＦＦと３回路ＯＮ／ＯＦＦ状態を繰り返した場合のみを有効とさせる。
【００３３】
本実施の形態によれば、予め定められた時間内に、予め定められた回数テストスイッチ11がＯＮ／ＯＦＦ状態を繰り返した場合のみ有効とすることで、万一テストスイッチ11が不良となった場合であってもテストスイッチ11を二重化することなく、誤動作を防止することができる。
【００３４】
図４は更に他の実施の形態を示すブロック構成図である。図４において、図３と同一部分については同一符号を付して説明を省略する。図４の特徴部分は図３の構成に異常ＬＥＤ10を付加したものである。
【００３５】
そして、テストスイッチ11は前記した通り演算処理回路４に強制動作を認識させるスイッチであり、テストスイッチ11がＯＮ状態となった後、所定時間以内にテストスイッチ11がＯＮ／ＯＦＦ状態を所定回数繰り返した場合、有効とさせる。
【００３６】
例えば、テストスイッチ11がＯＮ状態となってから、５秒以内にＯＦＦ／ＯＮ／ＯＦＦ／ＯＮ／ＯＦＦと３回ＯＮ／ＯＦＦ状態を繰り返した場合のみ有効とさせるものである。異常ＬＥＤ10は、演算処理回路４より制御され異常状態を表示するよう構成され、テストスイッチ11が所定時間以上連続してＯＮ状態となった場合に、テストスイッチ11の異常と判断し異常ＬＥＤ10を点灯制御する。
【００３７】
本実施の形態によれば、予め定められた時間内に、予め定められた回数テストスイッチ11がＯＮ／ＯＦＦ状態を繰り返した場合のみ有効とすることで、万一テストスイッチ11が不良となった場合でもテストスイッチ11を二重化することなく、誤動作を防止することができ、テストスイッチ11に不良が発生した場合、外部に異常を知らせることができる。
【００３８】
本発明は上記以外に、下記変形も可能となる。テストスイッチ11が所定時間以上連続してＯＮ状態となった場合に、テストスイッチ11の異常と判断し異常ＬＥＤ10を点灯制御すると共に、演算処理回路４の所定の演算処理を停止させることで、同様の効果を得ることもできる。
【００３９】
図５は更に他の実施の形態を示すブロック構成図である。図５において、符号１〜６，９，11は既に説明した通りであり、本実施の形態で新たに付加したものは表示切替えスイッチ12のみである。情報ＬＥＤ９は、演算処理回路４より制御され所定の数値表示を行ない、表示切替えスイッチ12はＬＥＤ９の表示内容を切り替えるスイッチである。
【００４０】
例えば、表示切替えスイッチ12がＯＮ状態の場合には、ＬＥＤ９には入力レベル表示を行ない、表示切替えスイッチ12がＯＦＦ状態の場合には、ＬＥＤ９に動作レベル表示を行なう。テストスイッチ11は、演算処理回路４に強制動作を認識させるスイッチであり、テストスイッチ11がＯＮ状態となっても、表示切替えスイッチ12に変化がない場合には演算処理回路４に強制動作を認識させない。
【００４１】
本実施の形態によれば、テストスイッチ11と表示切替えスイッチ12のＡＮＤ条件により強制動作を有効とさせることより、テストスイッチ11が不良となった場合でも誤動作を防止することができ、専用の二重化スイッチを設けることなく二重化構成することができる。
【００４２】
図６は更に他の実施の形態を示すブロック構成図である。図６において、図５と同一部分については同一符号を付して説明を省略する。図６は図５の構成に加えて異常ＬＥＳ10を設けたものである。
【００４３】
異常ＬＥＤ10は、演算処理回路４より強制されて異常状態を表示するＬＥＤであり、テストスイッチ11がＯＮ状態となり、表示切替えスイッチ12に変化がなく、このＯＮ状態が所定時間以上継続した場合に、テストスイッチ11の異常と判断して異常ＬＥＤ10を点灯制御する。その他の作用は図５と同様である。
【００４４】
本実施の形態によれば、テストスイッチ11と表示切替えスイッチ12のＡＮＤ条件により強制動作を有効とさせることより、テストスイッチ11が不良となった場合であっても誤動作を防止することができ、専用の二重化スイッチを設けることなく二重化構成することができ、テストスイッチ11に不良が発生した場合、外部に異常を知らせることができる。
【００４５】
本発明は上記以外に、下記変形も可能となる。テストスイッチ11がＯＮ状態となり、表示切替えスイッチ12に変化がなく、このＯＮ状態が所定時間以上継続した場合に、テストスイッチ11の異常と判断して異常ＬＥＤ10を点灯制御すると共に、演算処理回路４の所定の演算処理を停止させることで、同様の効果を得ることもできる。
【００４６】
図７は更に他の実施の形態を示すブロック構成図である。入力電流・電圧を入力変成器１により絶縁し、入力変成器１の二次側の信号を入力アナログ回路２に入力し、所定のアナログ信号に変換する。入力アナログ回路２より出力されるアナログ信号を、Ａ／Ｄ変換回路３に入力し所定のディジタル信号に変換し、このディジタル信号は演算処理回路４に取り込まれて、所定の演算処理を実施する。
【００４７】
電源側回路５は、電源入力より保護継電器内部の電源電圧として、安定化された電圧を各回路に供給する。リレー回路６は、演算処理回路４の演算処理結果を受けて外部に接点出力を出す。
【００４８】
動作表示器13は演算処理回路４より制御されて動作／不動作の状態を表示する表示器であり、リレー回路６の出力接点回路に流れる電流をカレントセンサ14により検出し、カレントセンサ14より出力される電流レベルが、所定レベル以上か否かをレベル検出回路15により判定し、判定結果を演算処理回路４に入力する。
【００４９】
演算処理回路４が動作判定し、リレー回路６の接点回路をメーク状態とし、この接点回路を介して外部に設けた遮断器にトリップ電流が流れると、カレントセンサ14によりこのトリップ電流を検出しレベル検出回路15により所定レベル以上の電流が流れたことを判定し、この判定結果を演算処理回路４に入力する。
【００５０】
演算処理回路４は、動作判定しリレー回路６の接点回路をメークさせたことと、レベル検出回路15よりリレー回路６の接点回路に遮断器トリップ電流が流れたことの判定結果とのＡＮＤ条件により、動作表示器13を動作状態の表示に制御する。
【００５１】
本実施の形態によれば、演算電流回路４が動作判定し、リレー回路６の接点回路をメークさせただけでは、動作表示器13を動作状態に表示制御せず、遮断器トリップ電流が流れたこととのＡＮＤ条件により、動作表示器13を動作状態に表示制御するため、保護継電器を複数台使用して各保護継電器のＡＮＤ条件により遮断器をトリップさせるシステム構成とした場合でも、遮断器トリップ状態と動作表示器状態を一致させることができる。
【００５２】
図８は更に他の実施の形態を示すブロック構成図である。第１の入力電流・電圧を入力変成器1-1 により絶縁し、入力変成器1-1 の二次側の信号を入力アナログ回路2-1 に入力し、所定のアナログ信号に変換する。同様に第２の入力電流・電圧を入力変成器1-2 により絶縁し、入力変成器1-2 の二次側の信号を入力アナログ回路2-2 に入力し、所定のアナログ信号に変換する。
【００５３】
入力アナログ回路2-1 及び2-2 より出力されるアナログ信号を、Ａ／Ｄ変換回路３に入力し所定のディジタル信号に変換し、このディジタル信号は演算処理回路４に取り込まれて、所定の演算処理を実施する。電源回路５は、電源入力より保護継電器内部の電源電圧として、安定化された電圧を各回路に供給する。
【００５４】
リレー回路6-1 は、演算処理回路４の第１の入力電流・電圧要素に対応した演算処理結果を受けて外部に接点出力を出す。同様にリレー回路6-2 は、演算処理回路４の第２の入力電流・電圧要素に対応した演算処理結果を受けて外部に接点出力を出す。
【００５５】
動作表示器13-1は、演算処理回路４より制御され第１の入力電流・電圧要素側の動作／不動作の状態を表示する表示器であり、同様に動作表示器13-2は、第２の入力電流・電圧要素側の動作／不動作の状態を表示する。
【００５６】
リレー回路6-1 及びリレー回路6-2 の出力接点回路に流れる電流をカレントセンサ14により検出し、カレントセンサ14より出力される電流レベルが、所定レベル以上か否かをレベル検出回路15により判定し、判定結果を演算処理回路４に入力する。
【００５７】
演算処理回路４が動作判定し、リレー回路6-1 又は6-2 の接点回路をメーク状態とし、この接点回路を介して外部に設けた遮断器にトリップ電流が流れると、カレントセンサ14によりこのトリップ電流を検出し、レベル検出回路15により所定レベル以上の電流が流れたことを判定し、この判定結果を演算処理回路４に入力する。
【００５８】
演算処理回路４は、動作判定リレー回路6-1 又は6-2 の接点回路をメークさせたことと、レベル検出回路15よりリレー回路6-1 又は6-2 の接点回路に遮断器トリップ電流が流れたことの判定結果とのＡＮＤ条件により、動作表示器13-1又は13-2を動作状態の表示に制御する。
【００５９】
本実施の形態によれば、演算処理回路４が動作判定し、リレー回路6-1 又は6-2 の接点回路をメークさせただけでは、動作表示器13-1又は13-2を動作状態に表示制御せず、遮断器トリップ電流が流れたこととのＡＮＤ条件により、動作表示器13-1又は13-2を動作状態に表示制御するため、保護継電器を複数台使用して各保護継電器のＡＮＤ条件により遮断器をトリップさせるシステム構成とした場合でも、遮断器トリップ状態と動作表示状態を一致させることができる。
【００６０】
又、１つのカレントセンサ14とレベル検出回路15によりリレー回路6-1 及び6-2 の接点回路の電流を検出可能であり、スペースファクタを向上させ、低コストの保護継電器を実現することができる。なお、本実施の形態は、２要素タイプの保護継電器としているが、複数要素についても適用可能である。又、上記実施の形態では数値表示用のＬＥＤとして「７セグメントＬＥＤ」について説明したが、ＬＥＤに限らず、数値を表示できる機能を有するものであれば適用可能である。
【図面の簡単な説明】
【００６１】
【図１】本発明による保護継電器の実施の形態を示すシステム構成図。
【図２】他の実施の形態を示すシステム構成図。
【図３】更に他の実施の形態を示すシステム構成図。
【図４】更に他の実施の形態を示すシステム構成図。
【図５】更に他の実施の形態を示すシステム構成図。
【図６】更に他の実施の形態を示すシステム構成図。
【図７】更に他の実施の形態を示すシステム構成図。
【図８】更に他の実施の形態を示すシステム構成図。
【符号の説明】
【００６２】
１    入力変成器
２    入力アナログ回路
３    Ａ／Ｄ変換回路
４    演算処理回路
５    電源回路
６    リレー回路
７    設定スイッチ
８    設定完了スイッチ
９    ７セグメントＬＥＤ（表示回路）
10    異常ＬＥＤ
11    テストスイッチ
12    表示切替えスイッチ
13    動作表示器
14    カレントセンサ
15    レベル検出回路
【図１】
2006081400.tif 000003
【図２】
2006081400.tif 000004
【図３】
2006081400.tif 000005
【図４】
2006081400.tif 000006
【図５】
2006081400.tif 000007
【図６】
2006081400.tif 000008
【図７】
2006081400.tif 000009
【図８】
2006081400.tif 000010